(57)【要約】【課題】  システムの自由度及び柔軟性を向上させるとともに、多チャンネル記録の記録媒体に容易に対応する。【解決手段】  情報記録装置において、記録手段は、予め設定したＮ種類の音声情報から任意に選択されたＭ種類の音声情報に対応する音声情報データを記録媒体に記録するに際し、当該Ｍ種類の音声情報の種類を特定するための記録内容情報データを記録するので、記録された記録内容情報データに基づいて、予め設定したＮ種類の音声情報のうちいずれの音声情報が記録されたかを容易に知ることができる。また、情報再生装置において、再生手段は、判別手段の判別結果及び指示に基づいて、読み出した音声情報データ群から再生すべき前記指定に対応する音声情報データを抽出し、再生して出力するので、記録された音声情報データ群を構成する音声情報データの任意の組合わせに基づいて音声情報を再生できる。【選択図】  図１
2005093061.tif 000002
【特許請求の範囲】
【請求項１】
予め設定したＮ（Ｎ：３以上の整数）種類の音声情報から任意に選択されたＭ（Ｍ：自然数、かつ、Ｍ≦Ｎ）種類の音声情報に対応する音声情報データを音声情報データ群として前記記録媒体に記録する情報記録装置において、
前記Ｍ種類の音声情報データを前記記録媒体に記録するに際し、当該Ｍ種類の音声情報の種類を特定するための記録内容情報データを記録する記録手段を備えたことを特徴とする情報記録装置。
【請求項２】
請求項１記載の情報記録装置において、
前記記録手段は、同一種類の音声情報で構成される複数の前記音声情報データ群に対し、一の前記記録内容情報データを記録することを特徴とする情報記録装置。
【請求項３】
請求項１記載の情報記録装置において、
前記記録手段は、複数の前記音声情報データ群を一の記録媒体に記録するに際し、前記複数の音声情報データ群に対応する複数の前記記録内容情報データを前記記録媒体の所定の領域に一体として記録することを特徴とする情報記録装置。
【請求項４】
請求項１乃至請求項３記載の情報記録装置において、
前記記録手段は、複数の前記音声情報データ群を一の記録媒体に記録するに際し、各前記音声情報データ群に対応する前記記録内容情報データを前記音声情報データ群に付加して記録することを特徴とする情報記録装置。
【請求項５】
予め設定したＮ（Ｎ：３以上の整数）種類の音声情報から任意に選択したＭ（Ｍ：自然数、かつ、Ｍ≦Ｎ）種類の音声情報に対応する音声情報データを音声情報データ群として記録し、かつ、前記Ｍ種類の音声情報の種類を特定するための記録内容情報データを記録した記録媒体から任意の組合わせで前記音声情報を再生する情報再生装置であって、
前記記録媒体から前記音声情報データ群及び前記記録内容情報データを読み出す読出手段と、
読み出した前記記録内容情報データに基づいて再生可能な前記Ｍ種類の音声情報を判別する判別手段と、
再生させるべき音声情報の組合わせを指示するための指示手段と、
前記判別手段の判別結果及び前記指示に基づいて、読み出した前記音声情報データ群から再生すべき前記指定に対応する音声情報データを抽出し、再生して出力する再生手段と、
を備えたことを特徴とする情報再生装置。
【請求項６】
予め設定したＮ（Ｎ：３以上の整数）種類の音声情報から各々任意に選択されたＭ1、…、ＭL（Ｍ1、…、ＭL：自然数、かつ、Ｍ1、…、ＭL≦Ｎ）種類の音声情報に対応する音声データをそれぞれ音声情報データ群として記録し、かつ、各前記音声情報データ群を構成する音声情報の種類をそれぞれ特定するためのＬ個の記録内容情報データを記録した記録媒体からいずれかの音声情報データ群を選択し、当該選択した音声情報データ群を構成する音声データの任意の組合わせにより前記音声情報を再生する情報再生装置であって、
再生すべき音声情報データ群を指示するための第１指示手段と、
前記第１指示手段における指示に基づいて前記記録媒体から再生すべき前記音声情報データ群及び対応する前記記録内容情報データを読み出す読出手段と、
読み出した前記記録内容情報データに基づいて当該音声情報データ群を構成する音声情報を判別する判別手段と、
再生させるべき音声情報の組合わせを指示するための第２指示手段と、
前記判別手段の判別結果及び前記第２指示手段における指示に基づいて、読み出した前記音声情報データ群から再生すべき音声情報データを抽出し、再生して出力する再生手段と、
を備えたことを特徴とする情報再生装置。
【請求項７】
請求項５または請求項６記載の情報再生装置において、
読み出した前記記録内容情報データに基づいて組合わせ可能な音声情報を告知するための表示を行なう表示手段を備えたことを特徴とする情報再生装置。
【発明の詳細な説明】
【技術分野】
【０００１】
本発明は、情報記録装置及び情報再生装置に関し、より詳細には、光ディスク等の記録媒体にオーディオ情報及びビデオ情報を記録する情報記録装置及び記録媒体からオーディオ情報及びビデオ情報を再生する情報再生装置に関する。
【背景技術】
【０００２】
従来より、光ディスクやビデオテープ等の記録媒体にオーディオ情報やビデオ情報を記録することが一般的に行なわれている。
【０００３】
これらの記録媒体に記録する情報は、従来、アナログ信号を用いて記録されていたが、最近では、信号（音質、画質）の劣化が少ない、コンピュータ等における取扱いが容易である等の理由によりディジタル信号を用いて記録する方法が一般化しつつある。
【０００４】
このような記録媒体に４チャンネル音声（メインチャンネル音声及びサブチャンネル音声それぞれ２チャンネル）を記録し、この記録媒体を用いた応用システムとして、いわゆる音声多重カラオケ装置（以下、カラオケ装置という。）が知られている。
【０００５】
このようなカラオケ装置において、サブチャンネル音声（３，４チャンネル）に模範歌唱（ガイド音声）入り音声を記録することを予め決めておき、模範歌唱入り音声を練習用として用いているものがあった。
【０００６】
従って、このようなカラオケ装置においては予め各チャンネルの使用状態が決められているため、各チャンネルの使用状態についての情報は記録媒体上には記録する必要がなく、記録は行なわれていなかった。
【０００７】
また、カラオケ装置として、４つのチャンネルに独立した音声信号を記録し、デュエットカラオケの演奏曲においてサブチャンネル音声（３，４チャンネル）にそれぞれ伴奏と一方の歌唱者に対応する模範歌唱を記録し、曲毎に音声の使用状態に関する情報を記録媒体中に記録しておくものも知られている。この場合においても、各チャンネル毎に記録可能な情報については予め決められていた。
【発明の開示】
【発明が解決しようとする課題】
【０００８】
上記従来のカラオケ装置においては、各音声チャンネルに何を記録しておくのか（チャンネルフォーマット）は予め決められており、記録における自由度が制限されるという問題点があった。
【０００９】
さらにチャンネルフォーマットが予め決められているため、他のチャンネルフォーマットを用いたカラオケ装置で利用できる記録媒体をそのまま利用することができないとともに、当該カラオケ装置で利用するためには新たに記録媒体を作成しなければならないという問題点があった。
【００１０】
そこで、本発明の目的は、システムの自由度及び柔軟性を向上させるとともに、多チャンネル記録の記録媒体に容易に対応可能な情報記録装置及び情報再生装置を提供することにある。
【課題を解決するための手段】
【００１１】
上記課題を解決するため、請求項１記載の発明は、予め設定したＮ（Ｎ：３以上の整数）種類の音声情報から任意に選択されたＭ（Ｍ：自然数、かつ、Ｍ≦Ｎ）種類の音声情報に対応する音声情報データを音声情報データ群として前記記録媒体に記録する情報記録装置において、前記Ｍ種類の音声情報データを前記記録媒体に記録するに際し、当該Ｍ種類の音声情報の種類を特定するための記録内容情報データを記録する記録手段を備えて構成する。
【００１２】
請求項１記載の発明によれば、記録手段は、予め設定したＮ種類の音声情報から任意に選択されたＭ種類の音声情報に対応する音声情報データを記録媒体に記録するに際し、当該Ｍ種類の音声情報の種類を特定するための記録内容情報データを記録する。
【００１３】
従って、記録された記録内容情報データに基づいて、予め設定したＮ種類の音声情報のうちいずれの音声情報が記録されたかを容易に知ることができる。
【００１４】
請求項２記載の発明は、請求項１記載の発明において、前記記録手段は、同一種類の音声情報で構成される複数の前記音声情報データ群に対し、一の前記記録内容情報データを記録するように構成する。
【００１５】
請求項２記載の発明によれば、請求項１記載の発明の作用に加えて、記録手段は、同一種類の音声情報で構成される複数の音声情報データ群に対し、一の記録内容情報データを記録するので、記録内容情報データの記録容量を低減することができる。
【００１６】
請求項３記載の発明は、請求項１記載の発明において、前記記録手段は、複数の前記音声情報データ群を一の記録媒体に記録するに際し、前記複数の音声情報データ群に対応する複数の前記記録内容情報データを前記記録媒体の所定の領域に一体として記録するように構成する。
【００１７】
請求項３記載の発明によれば、請求項１記載の発明の作用に加えて、記録手段は、複数の音声情報データ群を一の記録媒体に記録するに際し、複数の音声情報データ群に対応する複数の記録内容情報データを記録媒体の所定の領域に一体として記録するので、当該所定の領域にアクセスするだけで複数の音声情報データ群に対応する記録内容情報データを得ることができる。
【００１８】
請求項４記載の発明は、請求項１乃至請求項３記載の発明において、前記記録手段は、複数の前記音声情報データ群を一の記録媒体に記録するに際し、各前記音声情報データ群に対応する前記記録内容情報データを前記音声情報データ群に付加して記録するように構成する。
【００１９】
請求項４記載の発明によれば、請求項１乃至請求項３記載の発明の作用に加えて、記録手段は、複数の音声情報データ群を一の記録媒体に記録するに際し、各音声情報データ群に対応する記録内容情報データを音声情報データ群に付加して記録するので、音声情報データ群に対してアクセスすると同時に対応する音声内容情報データを得ることができる。
【００２０】
請求項５記載の発明は、予め設定したＮ（Ｎ：３以上の整数）種類の音声情報から任意に選択したＭ（Ｍ：自然数、かつ、Ｍ≦Ｎ）種類の音声情報に対応する音声情報データを音声情報データ群として記録し、かつ、前記Ｍ種類の音声情報の種類を特定するための記録内容情報データを記録した記録媒体から任意の組合わせで前記音声情報を再生する情報再生装置であって、前記記録媒体から前記音声情報データ群及び前記記録内容情報データを読み出す読出手段と、読み出した前記記録内容情報データに基づいて再生可能な前記Ｍ種類の音声情報を判別する判別手段と、再生させるべき音声情報の組合わせを指示するための指示手段と、前記判別手段の判別結果及び前記指示に基づいて、読み出した前記音声情報データ群から再生すべき前記指定に対応する音声情報データを抽出し、再生して出力する再生手段と、を備えて構成する。
【００２１】
請求項５記載の発明によれば、読出手段は、記録媒体から音声情報データ群及び記録内容情報データを読み出し、判別手段は、読み出した前記記録内容情報データに基づいて再生可能な前記Ｍ種類の音声情報を判別する。
【００２２】
これと並行して指示手段により再生させるべき音声情報の組合わせを指示すると、再生手段は、判別手段の判別結果及び指示に基づいて、読み出した音声情報データ群から再生すべき前記指定に対応する音声情報データを抽出し、再生して出力する。
【００２３】
従って、記録された音声情報データ群を構成する音声情報データの任意の組合わせに基づいて音声情報を再生することができる。
【００２４】
請求項６記載の発明は、予め設定したＮ（Ｎ：３以上の整数）種類の音声情報から各々任意に選択されたＭ1、…、ＭL（Ｍ1、…、ＭL：自然数、かつ、Ｍ1、…、ＭL≦Ｎ）種類の音声情報に対応する音声データをそれぞれ音声情報データ群として記録し、かつ、各前記音声情報データ群を構成する音声情報の種類をそれぞれ特定するためのＬ個の記録内容情報データを記録した記録媒体からいずれかの音声情報データ群を選択し、当該選択した音声情報データ群を構成する音声データの任意の組合わせにより前記音声情報を再生する情報再生装置であって、再生すべき音声情報データ群を指示するための第１指示手段と、前記第１指示手段における指示に基づいて前記記録媒体から再生すべき前記音声情報データ群及び対応する前記記録内容情報データを読み出す読出手段と、読み出した前記記録内容情報データに基づいて当該音声情報データ群を構成する音声情報を判別する判別手段と、再生させるべき音声情報の組合わせを指示するための第２指示手段と、前記判別手段の判別結果及び前記第２指示手段における指示に基づいて、読み出した前記音声情報データ群から再生すべき音声情報データを抽出し、再生して出力する再生手段と、を備えて構成する。
【００２５】
請求項６記載の発明によれば、第１指示手段により再生すべき音声情報データ群を指示すると、この指示に基づいて読出手段は、記録媒体から再生すべき音声情報データ群及び対応する記録内容情報データを読み出す。
【００２６】
これにより判別手段は、読み出した記録内容情報データに基づいて当該音声情報データ群を構成する音声情報を判別する。
【００２７】
これらと並行して第２指示手段により再生させるべき音声情報の組合わせを指示すると、再生手段は、判別手段の判別結果及び第２指示手段における指示に基づいて、読み出した音声情報データ群から再生すべき音声情報データを抽出し、再生して出力する。
【００２８】
従って、複数の音声情報データ群からいずれかの音声情報データ群を選択し、さらに当該選択した音声情報データ群を構成する音声情報データを任意に組合わせ、対応する音声情報を再生することができる。
【００２９】
請求項７記載の発明は、請求項５または請求項６記載の発明において、読み出した前記記録内容情報データに基づいて組合わせ可能な音声情報を告知するための表示を行なう表示手段を備えて構成する。
【００３０】
請求項７記載の発明によれば、請求項５または請求項６記載の発明の作用に加えて、表示手段は、読み出した記録内容情報データに基づいて組合わせ可能な音声情報を告知するための表示を行なうので、操作者は容易に所望の音声情報の組合わせ再生を指示することができる。
【発明の効果】
【００３１】
以上説明したように、請求項１記載の発明によれば、記録手段は、予め設定したＮ種類の音声情報から任意に選択されたＭ種類の音声情報に対応する音声情報データを記録媒体に記録するに際し、当該Ｍ種類の音声情報の種類を特定するための記録内容情報データを記録するので、記録された記録内容情報データに基づいて、予め設定したＮ種類の音声情報のうちいずれの音声情報が記録されたかを容易に知ることができ、予め再生可能な音声情報の組合わせについての情報を設定しておく必要がなくなり、再生時におけるシステム構築の柔軟性が向上する。
【００３２】
請求項２記載の発明によれば、請求項１記載の発明の効果に加えて、記録手段は、同一種類の音声情報で構成される複数の音声情報データ群に対し、一の記録内容情報データを記録するので、記録内容情報データの記録容量を低減することができ、一のディスクにより多くの情報を記録することができる。
【００３３】
請求項３記載の発明によれば、請求項１記載の発明の効果に加えて、記録手段は、複数の音声情報データ群を一の記録媒体に記録するに際し、複数の音声情報データ群に対応する複数の記録内容情報データを記録媒体の所定の領域に一体として記録するので、当該所定の領域にアクセスするだけで複数の音声情報データ群に対応する記録内容情報データを得ることができ、再生時における処理速度を向上させることが可能となる。
【００３４】
請求項４記載の発明によれば、請求項１乃至請求項３記載の発明の効果に加えて、記録手段は、複数の音声情報データ群を一の記録媒体に記録するに際し、各音声情報データ群に対応する記録内容情報データを音声情報データ群に付加して記録するので、音声情報データ群に対してアクセスすると同時に対応する音声内容情報データを得ることができ、全ての音声情報データ群に対する音声内容情報を記憶することができないシステムにおいても同様の同様の動作を行なわせることができる。
【００３５】
請求項５記載の発明によれば、再生手段は、判別手段の判別結果及び指示に基づいて、読み出した音声情報データ群から再生すべき前記指定に対応する音声情報データを抽出し、再生して出力するので、予め再生可能な音声情報の組合わせについての情報を設定しておくことなく記録された音声情報データ群を構成する音声情報データの任意の組合わせに基づいて音声情報を再生することができ、再生態様の多様化に容易に対応できる。
【００３６】
請求項６記載の発明によれば、再生手段は、判別手段の判別結果及び第２指示手段における指示に基づいて、読み出した音声情報データ群から再生すべき音声情報データを抽出し、再生して出力するので、複数の音声情報データ群からいずれかの音声情報データ群を選択し、さらに当該選択した音声情報データ群を構成する音声情報データを任意に組合わせ、対応する音声情報を再生することができる。
【００３７】
請求項７記載の発明によれば、請求項５または請求項６記載の発明の効果に加えて、表示手段は、読み出した記録内容情報データに基づいて組合わせ可能な音声情報を告知するための表示を行なうので、操作者は容易に所望の音声情報の組合わせ再生を指示することができる。
【発明を実施するための最良の形態】
【００３８】
次に、本発明の好適な実施例について、図面を参照して説明する。
【００３９】
（Ｉ）情報記録装置
図１に情報記録装置の概要構成ブロック図を示す。
【００４０】
情報記録装置１００は、記録すべき音声情報や映像情報等を磁気テープに記録するとともに、記録した音声情報や映像情報を再生し出力するＶＴＲ（Video Tape Recorder ）１と、ＶＴＲ１から出力された音声情報や映像情報をＡ／Ｄ変換した後、ＭＰＥＧ（Moving Picture Experts Group）方式等により圧縮処理し、音声情報と映像情報とを時間軸多重して記録情報信号ＳRとして出力する信号処理部２と、記録情報信号ＳR及び付加情報信号ＳADが入力され、コントローラ７からの制御信号ＳCRに基づき記録情報信号ＳRあるいは付加情報信号ＳADを切り換えて出力することにより時間軸多重し、ストリームＳSとして出力する付加器３と、出力されたストリームＳSに対して、例えば、リードソロモン符号等のエラー訂正コード（ＥＣＣ）の付加及び２−３変調等の変調を施してディスク記録信号ＳMを生成し出力する変調器４と、ディスク記録信号ＳMを光ディスクを製造する際のマスタディスクに記録するマスタリング装置５と、情報記録装置１００を構成する各部材相互間のタイミング同期を取るための基準クロック信号ＣＬＫを出力する発振器６と、アクセス情報等の付加情報に対応する上記の付加情報信号ＳADを出力するとともに、情報記録装置１００全体の制御を行うコントローラ７と、を備えて構成されている。
【００４１】
次に動作を説明する。
【００４２】
ＶＴＲ１から出力された音声情報及び映像情報は、信号処理部２においてＡ／Ｄ変換された後、ＭＰＥＧ方式により圧縮処理され、時間軸多重されて記録情報信号ＳRとして付加器３に出力される。
【００４３】
これと並行してコントローラ７は、付加情報信号ＳADを付加器３に出力する。
【００４４】
これらにより付加器３は、記録情報信号ＳRと付加情報信号ＳADとを時間軸多重し、ストリームＳSを生成して変調器４に出力する。
【００４５】
次に、変調器４はストリームＳSに対してリードソロモン符号等のエラー訂正コード（ＥＣＣ）の付加及び２−３変調等の変調を施し、マスタリング装置５により、変調されたディスク記録信号ＳMがマスタディスクに対して記録される。そして、このマスタディスクに基づいてスタンパディスクを作成し、図示しないレプリケーション装置により、一般に市販される光ディスクとしてのレプリカディスクが製造される。
【００４６】
ここで、図２乃至図５を参照して、製造されたディスクの記録フォーマットについて説明する。
【００４７】
光ディスクＤＫは、内周側から外周側に向かって、情報の記録開始位置を示すリードインエリアＬＩＡと、記録アドレス等の各種システム情報が記録されたシステムエリアＳＡと、音声情報データ群及び画像情報データを含むファイル毎の音声内容情報データが記録された音声内容情報エリアＡＣＡと、複数のファイルＦ１〜Ｆｎが記録されたファイル記録エリアＦＲＡと、情報の記録終了位置を示すリードアウトエリアＬＯＡと、を備えて構成されている。
【００４８】
音声内容情報エリアＡＣＡには、ファイルＦ１〜Ｆｎ（ｎ：２以上の整数）に対応するｎ個の音声内容情報データが記録されている。
【００４９】
各ファイルＦ１〜Ｆｎの先頭部分には、当該ファイルＦ１〜Ｆｎに関する各種情報が記録されたヘッダエリアＨＡが設けられており、このヘッダエリアＨＡ中には音声内容情報エリアに記録したものと同一の当該ファイルに対応する音声内容情報データが記録されている。
【００５０】
各ファイルには、Ｊ本（Ｊ：１以上の整数、最大８）の音声ストリームＳA1〜ＳAJを記録することができる。従って、各ファイルの音声内容情報並びに各ファイルに対応する音声内容情報には、各音声ストリームに対応する音声内容情報データＤAC1〜ＤACJが記録される。
【００５１】
各ファイルＦ１〜Ｆｎには原則としては、一曲分に相当する映像データ及び音声データを記録しているが、音声内容情報データが同一の曲が複数ある場合には、ファイルＦｎに示すように、一の共通の音声内容情報に対しｍ曲（ｍ：２以上の整数）の映像データ及び音声データを記録するように構成することも可能である。
【００５２】
これにより、ｍ曲の映像データ及び音声データに対して同一の音声内容情報データを用いて再生を行なえばよく、記録容量の有効利用を図ることができる。
【００５３】
図３に音声内容情報データをＡＣ３規格対応で８バイト構成とした場合の構成例を示す。
【００５４】
音声内容情報データＤACXは、各音声ストリームＳAX全体に関する情報を記録した１バイトのストリームデータＤSTと、ＡＣ３規格で用いる５チャンネルのうち第１チャンネル及び第２チャンネルに関する情報を記録した１バイトの第１音声内容データＤ1と、ＡＣ３規格の第３チャンネルに関する情報を記録した１バイトの第２音声内容データＤ2と、ＡＣ３規格の第４チャンネルに関する情報を記録した１バイトの第３音声内容データＤ3と、ＡＣ３規格の第５チャンネルに関する情報を記録した１バイトの第４音声内容データＤ4と、予約領域として用いられる３バイトの予約データＤＲと、を備えて構成されている。
【００５５】
ストリームデータＤSTにおいて、第１ビットｂ0は対応するストリームＳSが前ふり情報を含むか否かを表す前ふりフラグ、第２ビットｂ1は対応するストリームＳSがコーラス情報を含むか否かを表すコーラスフラグ、第３ビットｂ3〜第８ビットｂ7までの４ビットは予約領域となっている。
【００５６】
第１音声内容データＤ1において、第１ビットｂ0は対応する第１チャンネル及び第２チャンネルがガイドメロディ情報を含むか否かを表すガイドメロディフラグ、第２ビットｂ1〜第４ビットｂ3の３ビットは対応する第１チャンネル及び第２チャンネル中の主演奏のバージョン（オーケストラバージョン、ロックバージョン等）を表すバージョンデータ、第５ビットｂ4〜第８ビットｂ7は予約領域となっている。
【００５７】
第２音声内容データＤ2乃至第４音声内容データＤ4は同一構造となっているので、第２音声内容データＤ2について説明する。
【００５８】
第２音声内容データＤ2において、第１ビットｂ0は第３チャンネル中の第２ガイドメロディーＧＭ2の有無を表す第２ガイドメロディーフラグ、第２ビットｂ1は第３チャンネル中の第１ガイドメロディーＧＭ1の有無を表す第１ガイドメロディーフラグ、第３ビットｂ2は第３チャンネル中の第２ボーカル音声Ｖ2の有無を表す第２ボーカル音声フラグ、第４ビットｂ3は第３チャンネル中の第１ボーカル音声Ｖ1の有無を表す第１ボーカル音声フラグ、第５ビットｂ4〜第８ビットｂ7は予約領域となっている。
【００５９】
図４に音声内容情報データをＡＣ３規格対応で４バイト構成とした場合の構成例を示す。
【００６０】
音声内容情報データＤACX'は、各音声ストリームＳAX全体に関する情報を記録した１バイトのストリームデータＤSTと、ＡＣ３規格で用いる５チャンネルのうち第１チャンネル及び第２チャンネルに関する情報を記録した１バイトの第１音声内容データＤ1と、ＡＣ３規格の第３チャンネルに関する情報を記録した１バイトの第２音声内容データＤ2と、ＡＣ３規格の第４チャンネル及び第５チャンネルに関する情報を記録した１バイトの第３音声内容データＤ3'と、を備えて構成されている。
【００６１】
ストリームデータＤST、第１音声内容データＤ1及び第２音声内容データＤ2は図３の実施例と同様であるので、第３音声内容データＤ3'の構成について詳細に説明する。
【００６２】
第３音声内容データＤ3'は大別すると、第１ビットｂ0〜第４ビットｂ3が第５チャンネルデータ領域となっており、第５ビットｂ4〜第８ビットｂ7が第４チャンネルデータ領域となっている。
【００６３】
第５チャンネルデータ領域において、第１ビットｂ0は第５チャンネル中の第１ガイドメロディーＧＭ1の有無を表す第１ガイドメロディーフラグ、第２ビットｂ1は第５チャンネル中の第２ボーカル音声Ｖ2の有無を表す第２ボーカル音声フラグ、第３ビットｂ2及び第４ビットｂ3は予約領域となっている。
【００６４】
第４チャンネルデータ領域において、第５ビットｂ4は第４チャンネル中の第２ガイドメロディーＧＭ2の有無を表す第２ガイドメロディーフラグ、第６ビットｂ5は第４チャンネル中の第２ボーカル音声Ｖ2の有無を表す第２ボーカル音声フラグ、第７ビットｂ6は第４チャンネル中の第１ボーカル音声Ｖ1の有無を表す第１ボーカル音声フラグ第８ビットｂ7は予約領域となっている。
【００６５】
図５に音声内容情報データをＡＣ３規格対応で２バイト構成とした場合の構成例を示す。
【００６６】
音声内容情報データＤACX"は、各音声ストリームＳAX全体に関する情報及びＡＣ３規格で用いる５チャンネルのうち第１チャンネル及び第２チャンネルに関する情報を記録した１バイトのストリーム音声内容データＤSAと、ＡＣ３規格の第３チャンネル、第４チャンネル及び第５チャンネルに関する情報を記録した１バイトの第１音声内容データＤ1"と、を備えて構成されている。
【００６７】
ストリーム音声内容データＤSAにおいて、第１ビットｂ0は対応する第１チャンネル及び第２チャンネルがガイドメロディ情報を含むか否かを表すガイドメロディフラグ、第２ビットｂ1〜第４ビットｂ3の３ビットは対応する第１チャンネル及び第２チャンネル中の主演奏のバージョンを表すバージョンデータ、第５ビットｂ4は対応するストリームＳSが前ふり情報を含むか否かを表す前ふりフラグ、第６ビットｂ5は対応するストリームＳSがコーラス情報を含むか否かを表すコーラスフラグ、第７ビットｂ6及び第８ビットｂ7は予約領域となっている。
【００６８】
第１音声内容データＤ1"において、第１ビットｂ0及び第２ビットｂ1の２ビットはＡＣ３規格の第５チャンネルに関する情報を記録した第５チャンネルデータ領域ＣＡ5、第３ビットｂ2及び第４ビットｂ3はＡＣ３規格の第４チャンネルに関する情報を記録した第４チャンネルデータ領域ＣＡ4、第５ビットｂ4乃至第８ビットｂ7はＡＣ３規格の第３チャンネルに関する情報を記録した第３チャンネルデータ領域ＣＡ3となっている。
【００６９】
ここで、第３チャンネルデータ領域ＣＡ3乃至第５チャンネルデータ領域ＣＡ5の使用法について説明する。
【００７０】
第３チャンネルデータ領域ＣＡ3については、第３チャンネルデータ領域ＣＡ3を構成する４ビットで表される値により以下のように用いている。
【００７１】
４ビットの値：    意            味                                            
０      ：システム予約値
１      ：第１ボーカル音声Ｖ1有り
２      ：第２ボーカル音声Ｖ2有り
３      ：第１ガイドメロディーＧＭ1有り
４      ：第２ガイドメロディーＧＭ2有り
５      ：第１ボーカル音声Ｖ1及び第２ボーカル音声Ｖ2有り
６      ：第１ガイドメロディーＧＭ1及び第２ガイドメロディーＧＭ2有り
７      ：第１ボーカル音声Ｖ1及び第２ガイドメロディーＧＭ2有り
８      ：第２ボーカル音声Ｖ2及び第１ガイドメロディーＧＭ1有り
９〜１５：システム予約値
【００７２】
第４チャンネルデータ領域ＣＡ4については、第４チャンネルデータ領域ＣＡ4を構成する２ビットの値により以下のように用いている。
【００７３】
２ビットの値：    意            味                                            
０      ：システム予約値
１      ：第１ボーカル音声Ｖ1有り
２      ：第２ボーカル音声Ｖ2有り
３      ：第１ボーカル音声Ｖ1及び第２ガイドメロディーＧＭ2有り
【００７４】
第５チャンネルデータ領域ＣＡ5については、第５チャンネルデータ領域ＣＡ5を構成する２ビットの値により以下のように用いている。
【００７５】
２ビットの値：    意            味                                            
０      ：システム予約値
１      ：第２ボーカル音声Ｖ2有り
２      ：第２ボーカル音声Ｖ2及び第１ガイドメロディーＧＭ1有り
３      ：システム予約値
【００７６】
以上の音声内容情報データの構成は構成の一例であり、これらに限定されるものではない。
【００７７】
このように光ディスクに記録を行なうことにより、記録された記録内容情報データに基づいて、予め設定した複数種類の音声情報のうちいずれの音声情報が記録されたかを容易に知ることができる。
【００７８】
（II）情報再生装置
次に、上述した情報記録装置により記録した光ディスクを再生するための情報再生装置について図面を参照して説明する。
【００７９】
図６に情報再生装置の概要構成ブロック図を示す。
【００８０】
図６に示すように、実施例に係る情報再生装置２００は、上述の情報記録装置１００により記録された光ディスクＤＫから記録情報信号ＳR及び付加情報信号ＳADが含まれるディスク記録信号ＳMを検出し、検出信号ＳPとして出力する光ピックアップ１０と、読み出された検出信号ＳPを一定のスレッショルド（閾値）によって２値化する２値化器１１と、２値化された検出信号ＳPに対して復調及びエラー訂正を行い、再生情報ＳLとして出力する復調器１２と、再生情報ＳLに対してＭＰＥＧ方式により伸張処理を行い、Ｄ／Ａ変換して出力信号ＳDとして出力する信号処理部１３と、２値化された検出信号ＳPからクロック成分を検出し、抽出クロック信号ＣＬＫPとして出力するクロック成分検出器１４と、抽出クロック信号ＣＬＫPと発振器１８からの基準クロック信号ＣＬＫとを位相比較し比較信号を出力する位相比較器１５と、当該比較信号から高域成分を除去し、スピンドルモータ１７の回転数制御のための制御信号ＳSPとして出力するＬＰＦ（Low Pass Filter）１６と、制御信号ＳSPに基づいて光ディスクＤＫを回転駆動するスピンドルモータ１７と、情報再生装置２００を構成する各部材相互間のタイミング同期を取るための基準クロック信号ＣＬＫを出力する発振器１８と、情報再生装置２００全体の制御を行うコントローラ１９と、を備えて構成されている。
【００８１】
ここで、図７を参照して信号処理部１３とコントローラ１９周辺の構成について詳細に説明する。
【００８２】
信号処理部１３は、コントローラ１９からのストリーム選択信号ＳSELに基づいて再生情報ＳLからビデオデータＤVと所望の音声ストリームＳAXとを分離するデマルチプレクサ３０と、ビデオデータＤVをデコードして映像信号ＳVとして出力するビデオデコーダ３１と、デマルチプレクサ３０により分離された音声ストリームＳAXをデコードして第１チャンネルオーディオ信号Ｓch1〜第５チャンネルオーディオ信号Ｓch5として出力するオーディオデコーダ３２と、第１チャンネルオーディオ信号Ｓch1〜第５チャンネルオーディオ信号Ｓch5をコントローラ１９からのミックスダウン制御信号ＳMDに基づいてミックスダウンし、２チャンネル（Ｌチャンネル＋Ｒチャンネル）のステレオオーディオ信号ＳSTAとして出力するミキサ３３と、を備えて構成されている。
【００８３】
この場合において、映像信号及びステレオオーディオ信号は、出力信号ＳDを構成している。
【００８４】
次に図８及び図９を参照して再生時の動作を説明する。
【００８５】
この場合において、音声内容情報データをＡＣ３規格対応で８バイト構成とし、全ての組み合わせが可能なように全ての音声が記録されていると仮定して説明する。
【００８６】
まず、ユーザは図８の選択スイッチＳＷ1〜ＳＷ3を操作することにより、ボーカル選択、プロバージョン選択、効果音付加選択を行なう（ステップＳ１）。
【００８７】
この場合において、ボーカル選択とは、第１ボーカル音声Ｖ1及び第２ボーカル音声Ｖ2のうちいずれかあるいは双方を再生対象として選択する操作である。
【００８８】
より具体的には、ソロ曲の場合、選択スイッチＳＷ1を操作することにより、ボーカル音声オン→ボーカル音声オフ→ボーカル音声オン→…のようにサイクリックにボーカルの有無が選択される。また、デュエット曲の場合、選択スイッチＳＷ1を操作することにより、第１ボーカル音声Ｖ1オフ＋第２ボーカル音声Ｖ2オフ→第１ボーカル音声Ｖ1オン＋第２ボーカル音声Ｖ2オフ→第１ボーカル音声Ｖ1オフ＋第２ボーカル音声Ｖ2オン→第１ボーカル音声Ｖ1オン＋第２ボーカル音声Ｖ2オン→第１ボーカル音声Ｖ1オフ＋第２ボーカル音声Ｖ2オフ→…のようにサイクリックにボーカルの組合わせが選択される。
【００８９】
また、プロバージョン選択とは、第１ガイドメロディーＧＭ1（あるいは第２ガイドメロディーＧＭ2）を再生対象としない選択操作である。
【００９０】
より具体的には、ソロ曲の場合、選択スイッチＳＷ2の操作により、ガイドメロディーオフ→ガイドメロディーオン→ガイドメロディーオフ→…のようにサイクリックにガイドメロディーの有無が選択される。また、デュエット曲の場合、選択スイッチＳＷ2を操作することにより、第１ガイドメロディーＧＭ1オフ＋第２ガイドメロディーＧＭ2オフ→第１ガイドメロディーＧＭ1オン＋第２ガイドメロディーＧＭ2オフ→第１ガイドメロディーＧＭ1オフ＋第２ガイドメロディーＧＭ2オン→第１ガイドメロディーＧＭ1オン＋第２ガイドメロディーＧＭ2オン→第１ガイドメロディーＧＭ1オフ＋第２ガイドメロディーＧＭ2オフ→…のようにサイクリックにガイドメロディーの組合わせが選択される。
【００９１】
さらに効果音付加選択とは、第３チャンネル乃至第５チャンネル中に拍手音等の効果音が含まれている場合に、それらを付加するか否かを選択する操作である。
【００９２】
より具体的には、第３スイッチＳＷ3の操作により、効果音オフ→効果音オン→効果音オフ→…のようにサイクリックに効果音の有無が選択される。
【００９３】
なお、図８には示していないが、同様にして、前ふりの有無、コーラスの有無あるいは主演奏のバージョンを選択するように構成することも可能である。
【００９４】
演奏態様の選択と並行してコントローラ１９は、各ストリーム、各チャンネルの音声内容情報データを参照する（ステップＳ２）。この場合において、記録可能な全ての音声が記録されていることがわかるので、コントローラは全ての組合わせが選択可能であるとして、ユーザの任意の選択を許可する。
【００９５】
この時の選択状態については、ディスプレイＤＳＰ上に表示することとなるが、コントローラ１９は、音声内容情報データに基づいて、ユーザが選択可能な音声情報の組合わせについてのみ表示を行なうこととなる。
【００９６】
さらにコントローラ１９は、選択スイッチＳＷ1〜ＳＷ3の操作状態に応じて必要なストリームＳSをストリーム選択信号ＳSELによりデマルチプレクサ３０を制御することにより選択する（ステップＳ３）。
【００９７】
次に、デュエット曲を男性一人で歌うとともに、プロバージョン（ガイドメロディーなし）を選択し、効果音を付加する場合について具体的に説明する。
【００９８】
この場合において、例えば、第１音声ストリームＳA1の第１チャンネルＳch1及び第２チャンネルＳch2には、通常の主演奏が記録され、第３チャンネルＳch3には、男声の第１ボーカルに対応する第１ガイドメロディＧＭ1と女性の第２ボーカル音声に対応する第２ガイドメロディＧＭ2が記録され、第４チャンネルＳch4には、男声の第１ボーカル音声Ｖ1が記録され、第５チャンネルＳch5には、女性の第２ボーカルＶ2が記録されているものとする。
【００９９】
また、第２音声ストリームＳA2の第１チャンネルＳch1及び第２チャンネルＳch2には、通常の主演奏が記録され、第３チャンネルＳch3には、男声の第１ボーカルＶ1と女性の第２ボーカル音声に対応する第２ガイドメロディＧＭ2が記録され、第４チャンネルＳch4には、女性の第２ボーカルＶ2と男声の第１ボーカルに対応する第１ガイドメロディＧＭ1が記録され、第５チャンネルＳch5には効果音が記録されているものとする。
【０１００】
また、第３音声ストリームＳA3の第１チャンネルＳch1及び第２チャンネルＳch2には、効果音付きの主演奏が記録され、第３チャンネルＳch3には、男声の第１ボーカルに対応する第１ガイドメロディＧＭ1と女性の第２ボーカル音声に対応する第２ガイドメロディＧＭ2が記録され、第４チャンネルＳch4には、男声の第１ボーカル音声Ｖ1が記録され、第５チャンネルＳch5には、女性の第２ボーカルＶ2が記録されているものとする。
【０１０１】
ユーザは選択スイッチＳＷ1〜ＳＷ3を操作し、ユーザの希望する状態を設定する。
【０１０２】
また、コントローラは、ユーザの指示に従い、出力すべき音声情報は、主演奏と女性の第２ボーカルＶ2と効果音であると判断し、この条件に合った音声ストリームを選択する。
【０１０３】
第１音声ストリームＳA1は、効果音が記録されていないため不適切であると判断される。
【０１０４】
第２音声ストリームＳA2は、効果音と女性の第２ボーカルＶ2が記録されているもの、女性の第２ボーカルＶ2が第１ガイドメロディＧＭ1とミックスされて記録されており、第２ボーカルＶ2を独立して取り出すことができないため不適切であると判断される。
【０１０５】
第３音声ストリームＳA3は、第５チャンネルＳch5に女性の第２ボーカルＶ2が独立して記録されており、主演奏に効果音が記録されているため、ユーザの指示に最も適切なストリームであると判断される。そこでコントローラ１９は、第３音声ストリームＳA3を選択すべくストリーム選択信号ＳSELを設定する。
【０１０６】
これによりオーディオデコーダ３２は、デマルチプレクサ３０により分離された第３音声ストリームＳA3をデコードして第１チャンネルオーディオ信号Ｓch1〜第５チャンネルオーディオ信号Ｓch5としてミキサ３３に出力する。
【０１０７】
そして、コントローラ１９はミキサ３３によりミックスダウンすべきチャンネルを選択すべく、ミックスダウン制御信号ＳMDをミキサ３３に出力する（ステップＳ４）。
【０１０８】
この例では、Ｓch1、Ｓch2にＳch5をミックスダウンすることとなる。
【０１０９】
このように、ミキサ３３は、第１チャンネルオーディオ信号Ｓch1〜第５チャンネルオーディオ信号Ｓch5をコントローラ１９からのミックスダウン制御信号ＳMDに基づいてミックスダウンし、２チャンネル（Ｌチャンネル＋Ｒチャンネル）のステレオオーディオ信号ＳSTAとして出力し、これと並行してビデオデコーダ３１はビデオデータをデコードして映像信号ＳVとして出力する（ステップＳ５）。
【０１１０】
ここで例として挙げた以外に、本実施例で示した３つの音声ストリームを選択し、選択した音声ストリーム中の各チャンネルを組み合わせることによって様々な場合に対応することが出来る。ここでは、それぞれの音声ストリームについてどの様な場合に対応しているかについて図１０にまとめた。
【０１１１】
以上の説明のように本実施例によれば、光ディスクに記録されている音声情報の再生時における組合わせが膨大となる場合でも、予め再生可能な音声情報の組合わせについての情報を設定しておく必要がなく、光ディスクに記録された音声内容情報データ基づいて再生すべき音声情報の組合わせを容易に指定することができ、システム構築の柔軟性を向上させることができる。
【０１１２】
以上の説明においては、ＡＣ３規格の場合について説明したが、これに限定されるものではなく、リニアＰＣＭ、ＭＰＥＧ２などのマルチチャンネル記録が可能な規格であれば適用が可能である。
【図面の簡単な説明】
【０１１３】
【図１】情報記録装置の概要構成を示すブロック図である。
【図２】光ディスク上の情報記録状態を説明する図である。
【図３】音声内容情報データを８バイトで構成した場合の構成説明図である。
【図４】音声内容情報データを４バイトで構成した場合の構成説明図である。
【図５】音声内容情報データを２バイトで構成した場合の構成説明図である。
【図６】情報再生装置の概要構成を示すブロック図である。
【図７】信号処理部及びコントローラ周辺の詳細構成図である。
【図８】再生装置の操作部の外観説明図である。
【図９】実施例の概要動作フローチャートである。
【図１０】各音声ストリームにおける選択チャンネルと使用目的との対応関係を説明する図であり、（ａ）は第１音声ストリームＳA1の場合、（ｂ）は第２音声ストリームＳA2の場合、（ｃ）は第３音声ストリームＳA3の場合である。
【符号の説明】
【０１１４】
１００    情報記録装置
２００    情報再生装置
１    ＶＴＲ
２    信号処理部
３    付加器
４    変調器
５    マスタリング装置
６    発振器
７    コントローラ
１０    ピックアップ
１１    ２値化器
１２    復調器
１４    クロック成分検出器
１５    位相比較器
１６    ＬＰＦ
１７    スピンドルモータ
ＤＫ…光ディスク
ＳR…記録情報信号
ＳCR、ＳCP、ＳSP…制御信号
ＳP    検出信号
ＳAX    音声ストリーム
ＳM    ディスク記録信号
ＳAD    付加情報信号
ＳL    再生情報
ＳD    出力信号
ＣＬＫ    基準クロック信号
ＣＬＫP    抽出クロック信号
【図１】
2005093061.tif 000003
【図２】
2005093061.tif 000004
【図３】
2005093061.tif 000005
【図４】
2005093061.tif 000006
【図５】
2005093061.tif 000007
【図６】
2005093061.tif 000008
【図７】
2005093061.tif 000009
【図８】
2005093061.tif 000010
【図９】
2005093061.tif 000011
【図１０】
2005093061.tif 000012